(57)【要約】【課題】年間を通じて、居室空間内の居住環境を快適化することの可能な陸屋根や小屋裏空間などの外気に連通する通気外皮を有する屋根構造、および通気外皮を有する屋根構造を備えた建築物、ならびにその換気制御方法を提供する。【解決手段】略全面が断熱材３６で囲繞された躯体の上方の屋根部分３２に、外気と連通する通気空間４４が形成された通気外皮を備え、躯体内に形成された居室空間２２、２４の室内排気を、換気装置６４を介して、屋根部分３２の通気外皮の通気空間４４内に強制的に給気するように構成した。【選択図】図１
2007092323.tif 000002
【特許請求の範囲】
【請求項１】
略全面が断熱材で囲繞された躯体の上方の屋根部分に、外気と連通する通気空間が形成された通気外皮を備え、
前記躯体内に形成された居室空間の室内排気を、換気装置を介して、前記屋根部分の通気外皮の通気空間内に強制的に給気するように構成したことを特徴とする通気外皮を有する屋根構造。
【請求項２】
前記通気外皮には、外気と連通する複数の開口部が形成されていることを特徴とする請求項１に記載の通気外皮を有する屋根構造。
【請求項３】
前記複数の開口部が、高さ位置が相違するように配置されていることを特徴とする請求項２に記載の通気外皮を有する屋根構造。
【請求項４】
前記高さ位置が相違する複数の開口部のうち、高い位置にある少なくとも１つの開口部が、開閉可能に構成されていることを特徴とする請求項２から３のいずれかに記載の通気外皮を有する屋根構造。
【請求項５】
前記複数の開口部が、開閉可能に構成されていることを特徴とする請求項２から３のいずれかに記載の通気外皮を有する屋根構造。
【請求項６】
前記屋根部分の通気外皮の通気空間が、陸屋根に形成された通気空間であることを特徴とする請求項１から５のいずれかに記載の通気外皮を有する屋根構造。
【請求項７】
前記開口部が、陸屋根の側端部に形成されたパラペット部に形成されていることを特徴とする請求項６に記載の通気外皮を有する屋根構造。
【請求項８】
前記屋根部分の通気外皮の通気空間が、屋根裏に形成された小屋裏空間であることを特徴とする請求項１から５のいずれかに記載の通気外皮を有する屋根構造。
【請求項９】
前記開口部が、屋根裏に形成された小屋裏換気口であることを特徴とする請求項８に記載の通気外皮を有する屋根構造。
【請求項１０】
前記開口部が、屋根部分に形成された棟部に形成されていることを特徴とする請求項１から９のいずれかに記載の通気外皮を有する屋根構造。
【請求項１１】
前記開口部が、軒先換気口であることを特徴とする請求項１から１０のいずれかに記載の通気外皮を有する屋根構造。
【請求項１２】
前記屋根部分が、断熱材で囲繞されていることを特徴とする請求項１から１１のいずれかに記載の通気外皮を有する屋根構造。
【請求項１３】
前記屋根部分の通気外皮の通気空間が、前記断熱材の外側に形成された外側通気路に連通していることを特徴とする請求項１から１２のいずれかに記載の通気外皮を有する屋根構造。
【請求項１４】
前記開口部が、外側通気路の下端に形成された開口部であることを特徴とする請求項６に記載の通気外皮を有する屋根構造。
【請求項１５】
前記換気装置が、居室空間の室内排気と外気とを熱交換し、熱交換された外気を居室空
間に給気するように構成されていることを特徴とする請求項１から１４のいずれかに記載の通気外皮を有する屋根構造。
【請求項１６】
請求項１から１５のいずれかに記載の通気外皮を有する屋根構造を備えたことを特徴とする建築物。
【請求項１７】
前記断熱材の室外側に外側通気層が形成されているとともに、
前記断熱材の室内側に床下空間、天井裏空間およびこれらを連通する内側通気層が形成されており、
前記外側通気層の下部を外気と連通させるとともに、前記外側通気層の上部が、前記屋根裏空間を被った屋根に設けた排気部を介して外気と連通されていることを特徴とする請求項１５に記載の建築物。
【請求項１８】
略全面が断熱材で囲繞された躯体の上方の屋根部分に、外気と連通する通気空間が形成された通気外皮を備え、
前記通気外皮には、外気と連通するとともに、高さ位置が相違するように配置され複数の開口部が形成され、
前記高さ位置が相違する複数の開口部のうち、高い位置にある少なくとも１つの開口部が、開閉可能に構成され、
前記躯体内に形成された居室空間の室内排気を、換気装置を介して、前記屋根部分の通気外皮の通気空間内に強制的に給気するように構成されている通気外皮を有する屋根構造を備えた建築物における換気制御方法であって、
夏季、夜間、または季節中間期において、前記高い位置にある開口部を開放して、その他の開口部を介して、外気を屋根部分の通気外皮の通気空間内に流入するようにし、
冬季において、前記高い位置にある開口部を閉止して、その他の開口部を介して、屋根部分の通気外皮の通気空間内の空気を外気に排出するように制御することを特徴とする建築物における換気制御方法。
【請求項１９】
前記夏季、夜間、または季節中間期において、前記高い位置にある開口部の開放度を小さくするとともに、その他の開口部を閉止して、居室空間の室内排気が、屋根部分の通気外皮の通気空間内に滞留する時間を長くするように制御することを特徴とする建築物における換気制御方法。
【発明の詳細な説明】
【技術分野】
【０００１】
本発明は、陸屋根や小屋裏空間などの外気に連通する通気外皮を有する屋根構造、および通気外皮を有する屋根構造を備えた建築物、ならびにその換気制御方法に関する。
【背景技術】
【０００２】
近年、健康被害が着目されており、そのために、シックハウス法が施行され、気密性能を有する住宅では、換気設備を備えることが義務化されている。
すなわち、建築物では、居室空間の快適性を保つ目的から、居室空間の室内排気、すなわち、換気を２４時間実施しなければならないことになっている。
【０００３】
このため、従来の建築物１００では、例えば、夏季には、冷房によって冷却された居室空間１０２内の冷気を、また、冬季には、暖房された居室空間１０２内の暖気を、図１０に示したように、換気装置１０４を介して、そのまま屋外に放出しているのが実情である。
【０００４】
この場合、地球温暖化防止、省エネルギー化を考慮して、換気装置として、熱交換器を用いた場合にも、熱回収効率には限界があり、住宅などに備えられる機器では、一般的には、７０〜８０％程度と考えられており、１００％の熱回収を行なうことは無理であって、エネルギーロスは年間にすればかなりのものである。
【０００５】
ところで、住宅の多くでは、小屋裏空間は断熱されていないのが実情であって、小屋裏空間は、夏季には太陽光に暖められるなどして、熱気溜まりとなっており、最上階の居室空間の温熱環境に影響を及ぼすことになる。
【０００６】
また、冬季には、小屋裏空間が冷たくなってしまうので、居室空間の暖気を小屋裏空間に導入することも行なわれているが、換気を行なわずに小屋裏空間を暖めてしまうと、結露が生じるおそれがある。
【０００７】
このため、従来の建築物２００では、図１１に示したように、断熱されていない小屋裏空間２０２は、換気装置２０４を介して、小屋裏空間の湿気溜まりの防止、熱気溜まりの防止、結露の防止を目的として、外部に放出しているのが実情である。なお、換気装置２０４以外にも、換気扇、開閉ダンパーなどで小屋裏空間を換気している。
【０００８】
従って、現状では、夏季においては、太陽光などによって、小屋裏空間が外気よりも高温になり、冬季においては、屋根面から小屋裏空間の熱が逃げてしまい、暖気が溜まりにくく、その結果、冬季では外気温度に近くなってしまう。このため、小屋裏空間は、最上階の居室空間の環境に悪影響を及ぼしている。
【０００９】
さらに、いわゆる「陸屋根」と呼ばれる平坦で屋根裏空間が狭い屋根構造では、屋根裏空間には、一般的には通気層が設けられている。しかしながら、この通気層内の空気は、移動しづらい状態になり、湿気が溜まりやすくなるとともに、熱気が溜まることになって、陸屋根の直下の居室空間内の居住環境は、夏季には暑く、冬季には寒いものとなっていた。
【００１０】
このため、特許文献１（特開２００１−５９３６４号公報）では、図１２に示したように、断熱構造を備えた屋根構造３００が提案されている。
すなわち、この特許文献１の屋根構造３００では、屋根３０２の上に積もった雪３０４を融雪するのを目的として、居室空間３０６の暖気を、小屋裏空間３０８に導入して、小屋裏排気口３１０から外部に放出させるようにすることによって、小屋裏空間３０８内の温度を上昇させることによって、屋根の上に積もった雪を融雪するようにしたものが提案されている。
【００１１】
また、特許文献２（特開２００２−５４２４６号公報）では、図１３に示したように、小屋裏空間４０２を有する住宅４００において、居室空間４０４には給気手段４０６、非居室空間４１４には排気手段４１０を設け、これらの給気手段４０６、排気手段４１０を小屋裏空間４０２内にて接続して、接続部には、空気の流れを５方向を変えることが可能な変換機構４１２を設置した換気システムが提案されている。
【００１２】
これによって、夏季には、居室空間内の冷気を小屋裏空間に排気して、小屋裏空間の温度を下げるとともに、小屋裏空間内の通気を促進するようにしている。また、冬季には、小屋裏空間内の温まった暖気を、居室空間内に給気して、居室空間の温度を上昇するようにするともに、小屋裏空間の換気を促進するようになっている。
【特許文献１】特開２００１−５９３６４号公報
【特許文献２】特開２００２−５４２４６号公報
【発明の開示】
【発明が解決しようとする課題】
【００１３】
しかしながら、このような従来の特許文献１（特開２００１−５９３６４号公報）の屋根構造３００では、小屋裏空間３０８は、断熱気密区間であって、外気の流入を行なっていないので、例えば、夏季の酷暑時には、小屋裏空間３０８の温度を低下させるために必要な大量の外気を、小屋裏空間３０８内に全く導入することができないことになる。
【００１４】
さらには、朝夕の冷たい外気を取り入れることができないので、これを小屋裏空間３０８内の温度改善に利用することができないものである。また、この特許文献１の屋根構造３００は、寒冷地における住宅屋根の発明であり、夏の気温が高くなる地域には向かないものである。
【００１５】
このため、小屋裏空間３０８の熱が居室空間に影響するため、最上階の居室空間３０６内の居住環境が悪化してしまうことになる。
従って、居室空間３０６と小屋裏空間３０８との間には、十分な断熱性をもたせる必要があり、断熱材を配設するにしても、断熱材の厚さなどを厚くする必要がある。
【００１６】
一方、特許文献２（特開２００２−５４２４６号公報）の換気システムでは、小屋裏空間４０２内に供給される居室空間４０４の排気空気量はかなり小さく、酷暑時、極寒時には、小屋裏空間４０２の温度環境の改善が見込まれないおそれがある。
【００１７】
さらに、この特許文献２の換気システムでは、小屋裏空間４０２内の空気を居室空間４０８内に給気するようになっているが、小屋裏空間４０２内は、通常、清掃などを行なわない空間であり、小屋裏空間４０２内の衛生環境が悪化した場合には、その悪化したか環境によって、居室空間４０４内の居住環境も悪化してしまうことになる。
【００１８】
本発明は、このような現状に鑑み、居室空間の室内排気、すなわち、換気を２４時間実施することができるとともに、例えば、夏季には、冷房によって冷却された居室空間内の冷気を、小屋裏空間に供給することによって、小屋裏空間の温度を低下させて、熱気溜まりを防止でき、冬季には、暖房された居室空間内の暖気を、小屋裏空間内に供給することによって、この小屋裏空間が、常にいずれかの開口部で外気に連通（開放）されているの
で、結露が生じるような急激な温度上昇が生じない通気外皮を有する屋根構造、および通気外皮を有する屋根構造を備えた建築物、ならびにその換気制御方法を提供することを目的とする。
【００１９】
また、本発明は、熱エネルギーの有効利用が可能で、より省エネルギー効果が得られるとともに、小屋裏空間内の温度を上昇させ、これにより、年間を通じて、居室空間内の居住環境を快適化することの可能な陸屋根や小屋裏空間などの外気に連通する通気外皮を有する屋根構造、および通気外皮を有する屋根構造を備えた建築物、ならびにその換気制御方法を提供することを目的とする。
【課題を解決するための手段】
【００２０】
本発明は、前述したような従来技術における課題及び目的を達成するために発明されたものであって、本発明の通気外皮を有する屋根構造は、
略全面が断熱材で囲繞された躯体の上方の屋根部分に、外気と連通する通気空間が形成された通気外皮を備え、
前記躯体内に形成された居室空間の室内排気を、換気装置を介して、前記屋根部分の通気外皮の通気空間内に強制的に給気するように構成したことを特徴とする。
【００２１】
このように構成することによって、例えば、夏季には、冷房によって冷却された居室空間内の冷気を、換気装置を介して、例えば、陸屋根、小屋裏空間などの通気外皮の通気空間内に供給することによって、これらの通気外皮の通気空間内の温度を低下させることができる。
【００２２】
しかも、この場合に、換気装置を介して、強制的に通気外皮の通気空間内に居室空間内の冷気を供給するので、通気外皮の通気空間内に空気の移動が生じるとともに、この通気空間が外気と連通しているので、外気が通気空間内に流入することになる。
【００２３】
従って、例えば、夏季の酷暑時には、小屋裏空間などの通気外皮の通気空間の温度を低下させるために必要な大量の外気を、通気外皮の通気空間内に導入することができ、熱気溜まりを防止できるとともに、屋根からの伝熱が、居室空間に伝わるのを防止することができ、特に、最上階の居室空間内の居住環境が快適なものとなる。
【００２４】
一方、冬季には、暖房された居室空間内の暖気を、小屋裏空間などの通気外皮の通気空間内に導入することによって、この小屋裏空間が、常にいずれかの開口部で外気に連通（開放）されているので、結露が生じるような急激な温度上昇が生じない。
【００２５】
しかも、熱エネルギーの有効利用が可能で、より省エネルギー効果が得られるとともに、通気外皮の通気空間内の温度を上昇させ、これにより、居室空間内の居住環境を快適化することが可能である。
【００２６】
また、躯体を囲繞する断熱材、特に、最上階に面した断熱材を薄くすることができ、断熱材を節約することができるとともに、天井壁構造自体も薄くすることが可能である。
また、従来では、いわゆる「陸屋根」と呼ばれる平坦で屋根裏空間が狭い屋根構造では、屋根裏空間には、一般的には通気層が設けられている。しかしながら、この通気層内の空気は、移動しづらい状態になり、湿気が溜まりやすくなるとともに、熱気が溜まることになって、陸屋根の直下の居室空間内の居住環境は、夏季には暑く、冬季には寒いものとなっていた。
【００２７】
これに対して、本発明によれば、換気装置を介して、強制的に居室空間内の室内排気を、この通気層内に供給するので、この通気層内に、湿気、熱気が溜まるのを防止すること
ができ、陸屋根の真下の居室空間内の居住環境は、夏季には涼しく、冬季には暖かいものとなり、居室空間内の居住環境を快適化することが可能である。
【００２８】
しかも、この場合には、陸屋根の通気層を従来より、狭くしても、このような通気が得られることになるので、陸屋根構造をコンパクトにすることができる。
また、本発明の通気外皮を有する屋根構造は、前記通気外皮には、外気と連通する複数の開口部が形成されていることを特徴とする。
【００２９】
このように通気外皮は、外気と連通する複数の開口部が形成されておいるので、この通気空間が外気と連通しているので、外気が十分に通気空間内に流入することになる。
従って、例えば、夏季の酷暑時には、小屋裏空間などの通気外皮の通気空間の温度を低下させるために必要な大量の外気を、通気外皮の通気空間内に導入することができ、熱気溜まりを防止できるとともに、屋根からの伝熱が、居室空間に伝わるのを防止することができ、特に、最上階の居室空間内の居住環境が快適なものとなる。
【００３０】
一方、冬季には、暖房された居室空間内の暖気を、小屋裏空間などの通気外皮の通気空間内に導入することによって、通気外皮の通気空間内の温度を上昇させ、これにより、居室空間内の居住環境を快適化することが可能である。
【００３１】
また、本発明の通気外皮を有する屋根構造は、前記複数の開口部が、高さ位置が相違するように配置されていることを特徴とする。
この場合、高さ位置の相違する開口部とは、
・  地上付近と小屋裏空間との間、
・  小屋裏空間内での高さの異なる間、
・  軒先と棟との間、
の場合など開口部の高さ位置が相違する場合を全て含むものである。
【００３２】
このように高さ位置が相違する複数の開口部を配置することによって、小屋裏空間などの通気外皮の通気空間内の空気の移動経路を変更することができ、通気空間内に、湿気、熱気が溜まるのを防止することができる。
【００３３】
これにより、小屋裏空間の温度は、外気に対して、夏季には低く、冬季には暖かくなり、この小屋裏空間に接する（直下の）居室空間の居住環境への小屋裏空間からの温度の影響を抑えることが可能である。
【００３４】
また、本発明の通気外皮を有する屋根構造は、前記高さ位置が相違する複数の開口部のうち、高い位置にある少なくとも１つの開口部が、開閉可能に構成されていることを特徴とする。
【００３５】
このように高さ位置が相違する複数の開口部のうち、高い位置にある少なくとも１つの開口部が、開閉可能に構成されているので、小屋裏空間などの通気外皮の通気空間内の空気の移動経路を変更することができる。
【００３６】
すなわち、例えば、夏季の酷暑時には、高い位置にある開口部を開放することによって、小屋裏空間などの通気外皮の通気空間に導入された居室空間内の冷気とともに、通気外皮の通気空間の温度を低下させるために必要な大量の外気を、通気外皮の通気空間内に導入して、この開放された高い位置にある開口部を介して外部に排出する空気の移動経路を構成することになる。
【００３７】
また、夏季においては、この高い位置にある開口部を開放度を調整することによって、
小屋裏空間などの通気外皮の通気空間に導入された居室空間内の冷気を長時間滞留することができ、冷却効果を高めることができる。
【００３８】
これによって、熱気溜まりを防止できるとともに、屋根からの伝熱が、居室空間に伝わるのを防止することができ、特に、最上階の居室空間内の居住環境が快適なものとなる。
また、冬季においては、高い位置にある開口部を閉止することによって、小屋裏空間などの通気外皮の通気空間に導入された居室空間内の暖気を長時間維持することができ、その他の開口部を介して、外部に排出する空気の移動経路を構成することになる。
【００３９】
従って、冬季には、空間などの通気外皮の通気空間内に導入された居室空間内の暖気によって、通気外皮の通気空間内の温度を上昇させ、これにより、居室空間内の居住環境を快適化することが可能である。
【００４０】
また、本発明の通気外皮を有する屋根構造は、前記複数の開口部が、開閉可能に構成されていることを特徴とする。
このように複数の開口部が開閉可能とすることによって、開口部の開閉箇所を選択することによって、上記したような空気の移動経路を自由に変更することができる。
【００４１】
すなわち、冬季においては、高い位置にある開口部を閉止することによって、暖気を維持することができ、夏季、夜間、季節中間期においては、開口部を全て開放することによって、外気を大量に外皮の通気空間内に流入させることができ、熱気溜まりを防止することができるなど、夏、冬などの季節選択モードを自由に選択することができる。
【００４２】
さらに、シックハウス法によって、居室空間内の換気回数が、０．５回／時以上と決まっているが、これらの開口部の開放を制御することによって、小屋裏空間内の空気の換気は、換気装置の能力に依存することなく、自由に流通量が変えられることになり、上記の夏季、冬季における作用効果を達成することができる。
【００４３】
また、本発明の通気外皮を有する屋根構造は、前記屋根部分の通気外皮の通気空間が、陸屋根に形成された通気空間であることを特徴とする。
また、従来では、陸屋根に形成された通気空間内の空気は、移動しづらい状態であるが、本発明によれば、換気装置を介して、強制的に居室空間内の室内排気を、この通気空間内に供給するので、この通気空間内に、湿気、熱気が溜まるのを防止することができ、陸屋根の直下の居室空間内の環境は、陸屋根面からの外気や日射の影響を小さくすることができるので、快適化し易くなる。
【００４４】
また、本発明の通気外皮を有する屋根構造は、前記開口部が、陸屋根の側端部に形成されたパラペット部に形成されていることを特徴とする。
このように開口部がパラペットに形成されているので、このパラペットに形成された開口部を介して、通気空間内の空気を排出することができる。
【００４５】
また、本発明の通気外皮を有する屋根構造は、前記屋根部分の通気外皮の通気空間が、屋根裏に形成された小屋裏空間であることを特徴とする。
このように構成することにより、換気装置を介して、強制的に居室空間内の室内排気を、屋裏空間内に供給するので、この小屋裏空間内に、湿気、熱気が溜まるのを防止することができ、小屋裏の直下の居室空間内の環境は、陸屋根面からの外気や日射の影響を小さくすることができるので、快適化し易くなる。
【００４６】
また、本発明の通気外皮を有する屋根構造は、前記開口部が、屋根裏に形成された小屋裏換気口であることを特徴とする。
このように開口部が小屋裏換気口であるので、この小屋裏換気口を介して、通気空間内の空気を排出することができる。
【００４７】
また、本発明の通気外皮を有する屋根構造は、前記開口部が、屋根部分に形成された棟部に形成されていることを特徴とする。
このように開口部が屋根部分に形成された棟部に形成されているので、棟部に形成された開口部を介して、通気空間内の空気を排出することができる。
【００４８】
また、本発明の通気外皮を有する屋根構造は、前記開口部が、軒先換気口であることを特徴とする。
このように開口部が軒先換気口であるので、軒先換気口を介して、通気空間内に外気を取り入れたり、通気空間内の空気を排出することができる。
【００４９】
また、本発明の通気外皮を有する屋根構造は、前記屋根部分が、断熱材で囲繞されていることを特徴とする。
このように屋根部分が、断熱材で囲繞されていることによって、居室空間より通気外皮の通気空間内に導入された暖気、冷気の温度を、通気外皮の通気空間内において維持することができるとともに、外部の温度環境が通気外皮の通気空間内に伝熱されることがないので、居室空間内の温度を快適化することができる。
【００５０】
また、本発明の通気外皮を有する屋根構造は、前記屋根部分の通気外皮の通気空間が、前記断熱材の外側に形成された外側通気路に連通していることを特徴とする。
このように構成することによって、外側通気路を介して取り入れられた、夏は冷たく、冬は暖かい外気を、通気外皮の通気空間に導入することができ、さらに居室空間内の温度を快適化することができる。
【００５１】
また、本発明の通気外皮を有する屋根構造は、前記開口部が、外側通気路の下端に形成された開口部であることを特徴とする。
このように構成することによって、外側通気路の下端に形成された開口部を介して、通気空間内に外気を取り入れたり、通気空間内の空気を排出することができる。
【００５２】
また、本発明の通気外皮を有する屋根構造は、前記換気装置が、居室空間の室内排気と外気とを熱交換し、熱交換された外気を居室空間に給気するように構成されていることを特徴とする。
【００５３】
このように構成することによって、熱エネルギーの有効利用が可能になり、地球温暖化防止、省エネルギー化に寄与することができる。
また、本発明の建築物は、前述のいずれかに記載の通気外皮を有する屋根構造を備えたことを特徴とする。
【００５４】
このように構成することによって、居室空間内の居住環境は、夏季には涼しく、冬季には暖かいものとなり、居室空間内の居住環境を快適化することが可能である。
また、本発明の建築物は、
前記断熱材の室外側に外側通気層が形成されているとともに、
前記断熱材の室内側に床下空間、天井裏空間およびこれらを連通する内側通気層が形成されており、
前記外側通気層の下部を外気と連通させるとともに、前記外側通気層の上部が、前記屋根裏空間を被った屋根に設けた排気部を介して外気と連通されていることを特徴とする。
【００５５】
このように構成することによって、夏季において太陽熱や外気に外側通気層の空気が熱
せられて上昇する。しかし、断熱材によって内側通気層と外側通気層とは隔絶されているので、高温空気が内側通気層内に侵入することがなく、また断熱材によって熱伝達も抑制される。
【００５６】
このため、外側通気層で熱せられた高温空気は内側通気層にほとんど影響を及ぼすことなく、排気部 から外部へ排出される。
従って、床下空間内の比較的冷たい空気を居室空間周囲に循環させ、室内の冷房効率を高めることができるとともに、居室空間の冷房費が節約できる。
【００５７】
また、冬季においては、居室空間は、外側通気層、断熱材および内側通気層などにより、２重、３重に囲繞され、断熱性が十分に保持され十分な保温性を維持できる。
また、本発明の建築物における換気制御方法は、
略全面が断熱材で囲繞された躯体の上方の屋根部分に、外気と連通する通気空間が形成された通気外皮を備え、
前記通気外皮には、外気と連通するとともに、高さ位置が相違するように配置され複数の開口部が形成され、
前記高さ位置が相違する複数の開口部のうち、高い位置にある少なくとも１つの開口部が、開閉可能に構成され、
前記躯体内に形成された居室空間の室内排気を、換気装置を介して、前記屋根部分の通気外皮の通気空間内に強制的に給気するように構成されている通気外皮を有する屋根構造を備えた建築物における換気制御方法であって、
夏季、夜間、または季節中間期において、前記高い位置にある開口部を開放して、その他の開口部を介して、外気を屋根部分の通気外皮の通気空間内に流入するようにし、
冬季において、前記高い位置にある開口部を閉止して、その他の開口部を介して、屋根部分の通気外皮の通気空間内の空気を外気に排出するように制御することを特徴とする。
【００５８】
このように構成することによって、夏季、夜間、季節中間期においては、開口部を全て開放することによって、外気を大量に外皮の通気空間内に流入させることができ、熱気溜まりを防止することができ、居室空間内の居住環境を快適化することが可能である。
【００５９】
また、冬季においては、高い位置にある開口部を閉止することによって、小屋裏空間などの通気外皮の通気空間に導入された居室空間内の暖気を長時間維持することができ、その他の開口部を介して、外部に排出する空気の移動経路を構成することになる。
【００６０】
従って、冬季には、空間などの通気外皮の通気空間内に導入された居室空間内の暖気によって、通気外皮の通気空間内の温度を上昇させ、これにより、居室空間内の居住環境を快適化することが可能である。
【００６１】
また、本発明の建築物における換気制御方法は、前記夏季、夜間、または季節中間期において、前記高い位置にある開口部の開放度を小さくするとともに、その他の開口部を閉止して、居室空間の室内排気が、屋根部分の通気外皮の通気空間内に滞留する時間を長くするように制御することを特徴とする。
【００６２】
このように構成することによって、この高い位置にある開口部を開放度を調整することによって、小屋裏空間などの通気外皮の通気空間に導入された居室空間内の冷気、暖気などを長時間滞留することができ、冷却効果、暖房効果を高めることができる。
【発明の効果】
【００６３】
本発明によれば、例えば、夏季には、冷房によって冷却された居室空間内の冷気を、換気装置を介して、例えば、陸屋根、小屋裏空間などの通気外皮の通気空間内に供給するこ
とによって、これらの通気外皮の通気空間内の温度を低下させることができる。
【００６４】
しかも、この場合に、換気装置を介して、強制的に通気外皮の通気空間内に居室空間内の冷気を供給するので、通気外皮の通気空間内に空気の移動が生じるとともに、この通気空間が外気と連通しているので、外気が通気空間内に流入することになる。
【００６５】
従って、例えば、夏季の酷暑時には、小屋裏空間などの通気外皮の通気空間の温度を低下させるために必要な大量の外気を、通気外皮の通気空間内に導入することができ、熱気溜まりを防止できるとともに、屋根からの伝熱が、居室空間に伝わるのを防止することができ、特に、最上階の居室空間内の居住環境が快適なものとなる。
【００６６】
一方、冬季には、暖房された居室空間内の暖気を、小屋裏空間などの通気外皮の通気空間内に導入することによって、この小屋裏空間が、常にいずれかの開口部で外気に連通（開放）されているので、結露が生じるような急激な温度上昇が生じない。
【００６７】
しかも、熱エネルギーの有効利用が可能で、より省エネルギー効果が得られるとともに、通気外皮の通気空間内の温度を上昇させ、これにより、居室空間内の居住環境を快適化することが可能である。
【００６８】
また、躯体を囲繞する断熱材、特に、最上階に面した断熱材を薄くすることができ、断熱材を節約することができるとともに、天井壁構造自体も薄くすることが可能である。
また、従来では、いわゆる「陸屋根」と呼ばれる平坦で屋根裏空間が狭い屋根構造では、屋根裏空間には通気層が存在するが、この通気層内の空気は、移動しづらい状態であるが、本発明によれば、換気装置を介して、強制的に居室空間内の室内排気を、この通気空間内に供給するので、この通気空間内に、湿気、熱気が溜まるのを防止することができ、陸屋根の直下の居室空間内の環境は、陸屋根面からの外気や日射の影響を小さくすることができるので、快適化し易くなる。
【００６９】
しかも、この場合には、陸屋根の通気層を従来より、狭くしても、このような通気が得られることになるので、陸屋根構造をコンパクトにすることができる。
また、本発明によれば、高さ位置が相違する複数の開口部のうち、高い位置にある少なくとも１つの開口部が、開閉可能に構成されているので、小屋裏空間などの通気外皮の通気空間内の空気の移動経路を変更することができる。
【００７０】
すなわち、例えば、夏季の酷暑時には、高い位置にある開口部を開放することによって、小屋裏空間などの通気外皮の通気空間に導入された居室空間内の冷気とともに、通気外皮の通気空間の温度を低下させるために必要な大量の外気を、通気外皮の通気空間内に導入して、この開放された高い位置にある開口部を介して外部に排出する空気の移動経路を構成することになる。
【００７１】
また、夏季においては、この高い位置にある開口部を開放度を調整することによって、小屋裏空間などの通気外皮の通気空間に導入された居室空間内の冷気を長時間滞留することができ、冷却効果を高めることができる。
【００７２】
これによって、熱気溜まりを防止できるとともに、屋根からの伝熱が、居室空間に伝わるのを防止することができ、特に、最上階の居室空間内の居住環境が快適なものとなる。
また、冬季においては、高い位置にある開口部を閉止することによって、小屋裏空間などの通気外皮の通気空間に導入された居室空間内の暖気を長時間維持することができ、その他の開口部を介して、外部に排出する空気の移動経路を構成することになる。
【００７３】
また、小屋裏空間の温度を、このように常時、開口部を介して外気を取り入れることによって、室温＞小屋裏空間の温度≧外気のように、外気より少し暖かい、あまり温度差のないようにすることによって、結露を防止することができる。
【００７４】
従って、冬季には、空間などの通気外皮の通気空間内に導入された居室空間内の暖気によって、通気外皮の通気空間内の温度を上昇させ、これにより、居室空間内の居住環境を快適化することが可能である。
【発明を実施するための最良の形態】
【００７５】
以下、本発明の実施の形態（実施例）を図面に基づいてより詳細に説明する。
図１は、本発明の通気外皮を有する屋根構造を適用した建築物の概略断面図である。
図１において、１０は全体で本発明の建築物を示している。
【００７６】
図1に示したように、建築物１０は、ベタ基礎１２と、外周布基礎１４を備えた基礎１
６を備えている。
そして、基礎１２の上部には、床下空間１８が形成されているとともに、この床下空間１８の上方に、根太２０を介して、１階の居室空間２２が形成されている。また、この１階部分の居室空間２２の上方には、梁２６を介して、２階の居室空間２４が形成されている。
【００７７】
さらに、この２階の居室空間２４の上方には、梁３０を介して、屋根部分３２が設けられている。
そして、このような構成からなる躯体の略全面が囲繞されるように、屋根部分３２の部分を除いて、すなわち、室内側に内側通気層３４が形成されるように、断熱材３６が面方向に張り巡らされている。
【００７８】
また、この断熱材３６の外側には、一定間隔離間して、外壁材３８が設けられているとともに、屋根部分３２の部分には、屋根材４０が設けられている。
これにより、建築物１０の外壁材３８の内側に外側通気層４２が形成されるとともに、屋根部分３２の部分には、屋根材４０の室内側に、通気外皮の通気空間を構成する小屋裏空間４４が形成されている。
【００７９】
なお、これらの内側通気層３４と外側通気層４２とは、相互に連通しないように構成されている。また、内側通気層３４が、床下空間１８と常時連通するとともに、内側通気層３４と小屋裏空間４４とは、換気装置６４を介して連通するようになっている。
【００８０】
さらに、これらの１階の居室空間２２、２階の居室空間２４はそれぞれ、連通路（給気口）４６、４８を介して、外部と連通するようになっている。
一方、外側通気層４２は、その下端において、開口部５０を介して外気と連通するとともに、外側通気層４２の上端において、小屋裏空間４４と連通するようになっている。
【００８１】
また、屋根部分３２の軒下には、外気と連通するとともに、小屋裏空間４４と連通する軒下開口部５２が設けられている。
さらに、小屋裏空間４４には、その上方に、外気と連通するとともに、開閉度を調整でき開閉可能な開口扉５４を備えた小屋裏開口部５６が設けられている。
【００８２】
なお、この場合、開閉可能な開口扉５４の代わりに、また、開口扉５４とともに、風量を調整できるファンや換気扇などを設けることも可能である。
一方、１階の居室空間２２、２階の居室空間２４にはそれぞれ、排気口６０、６２が設けられており、これらの排気口６０、６２から、排気ダクト５８を介して、換気装置６４
に接続されている。
【００８３】
この換気装置６４は、排気ダクト６６を介して、小屋裏空間４４内に、居室空間２２、２４の居室空気を強制的に給気することができるようになっている。
なお、この換気装置６４は、シックハウス法に適合するように、常時、居室空間２２、２４の居室空気を強制的に換気するように構成されている。
【００８４】
この場合、断熱材３６としては、特に限定されるものではないが、合成樹脂発泡断熱板が好ましく、例えば、ポリスチレン、ポリエチレン、ポリ塩化ビニルなどの合成樹脂を発泡することにより形成される独立気泡を有する樹脂発泡体の板であることが望ましい。
【００８５】
なかでも高度の剛性と断熱性および透湿抵抗の高いポリスチレンの押出し発泡板を用いるのが効果的である。しかしながら、断熱材３６としては、このような合成樹脂押出し発泡板に限らず、グラスウール、ロックウールなどを板状に形成させた繊維系のものも使用できる。
【００８６】
また、外壁材３８ としては、例えば、モルタル壁、サイディング壁、コンクリート壁
などが使用可能であるが、その他の壁材であっても良い。また、屋根材４０としては、例えば、かわら屋根材、スレート屋根材、金属板平ぶき屋根材などが使用可能であるが、その他の屋根材であっても良い。
【００８７】
なお、内側通気層３４は、１階の居室空間２２、２階の居室空間２４の周囲を隈なく行き渡っており、床下空間１８を含んで形成されている。居室空間２２、２４の間に形成される内側通気層３４は、間仕切り間に形成される。
【００８８】
また、在来の木造建築物構造にあっては、間仕切り間に必然的に隙間が形成され、その隙間が床下空間１８と連通し内側通気層３４が自然に形成される場合もある。なお、ツーバイフォーによる建築物にあっては、間仕切り間に形成される隙間がそのままでは床下空間１８と連通しないことから、その部分の床に孔を開ける等して間仕切り間に積極的に内側通気層３４を形成するようにすればよい。
【００８９】
なお、図１では、床下換気口を省略して説明しているが、適宜、開閉可能なダンパーを有する床下換気口を設けることも可能である。また、図示しないが、図１の天井裏空間１１にも、適宜、開閉可能なダンパーを設けることも可能である。
【００９０】
このように構成される本発明の建築物では、夏季の酷暑時には、図２に示したように、換気制御が実施されるようになっている。
すなわち、換気装置６４を常時作動することによって、１階の居室空間２２、２階の居室空間２４の排気口６０、６２から、排気ダクト５８、排気ダクト６６を介して、通気外皮の通気空間を構成する小屋裏空間４４内に、居室空間２２、２４の居室空気、すなわち、冷房された冷気を強制的に給気するようになっている。
【００９１】
この場合、図２に示したように、小屋裏空間４４の上方に設けられた小屋裏開口部５６の開口扉５４を開放することによって、外気と連通するようにする。
これによって、夏季の酷暑時には、換気装置６４によって給気された冷気と、この換気装置６４による空気の流れによって、小屋裏空間４４の温度を低下させるために必要な大量の外気が、軒下開口部５２と、外側通気層４２の下端の開口部５０が常時開放されているので、これらの開口部を介して、小屋裏空間４４内に流入して、小屋裏開口部５６から外部に放出されるようになっている。
【００９２】
なお、この実施例では、図１に示した位置に配置した小屋裏開口部５６から外部に放出するように構成したが、別の位置に小屋裏開口部５６を設けることも可能である。
これにより、冷気と外気を小屋裏空間４４内に導入することができ、熱気溜まりを防止できるとともに、屋根からの伝熱が、居室空間２４に伝わるのを防止することができ、特に、最上階の居室空間内の居住環境が快適なものとなる。
【００９３】
一方、夏季においては、図２に示した状態から、図３に示したように、小屋裏空間４４の上方に設けられた小屋裏開口部５６の開口扉５４の開口度を調整して、例えば、半開き状態にする。そして、軒下開口部５２に設けられた開閉扉(図示せず)を閉止する。
【００９４】
これによって、外気の流入は、開口部５０からのみにとどまるため、小屋裏空間４４に導入された居室空間内の冷気が、徐々に小屋裏開口部５６を介して外部に放出されることになるので、長時間滞留することができ、冷却効果を高めることができる。
【００９５】
これによって、熱気溜まりを防止できるとともに、屋根からの伝熱が、居室空間２４に伝わるのを防止することができ、特に、最上階の居室空間内の居住環境が快適なものとなる。
【００９６】
なお、夜間、または季節中間期においても、これらの酷暑モード、夏季モードを適宜用いればよい。
さらに、冬季においては、図２に示した状態から、図４に示したように、小屋裏空間４４の上方に設けられた小屋裏開口部５６の開口扉５４を閉止する。そして、軒下開口部５２に設けられた開閉扉(図示せず)を開放する。
【００９７】
これによって、小屋裏空間４４の空気の移動経路が、図4の矢印に示したように変更さ
れ、小屋裏空間４４に導入された居室空間２２、２４内の暖気が、小屋裏空間４４の上方に長時間滞留することができ、その他の開口部を介して、すなわち、軒下開口部５２、外側通気層４２の下端の開口部５０を介して、外部に徐々に排出する空気の移動経路を構成することになる。
【００９８】
従って、冬季には、小屋裏空間４４内に導入された居室空間２２、２４内の暖気によって、この小屋裏空間４４が、常にいずれかの開口部で外気に連通（開放）されているので、結露が生じるような急激な温度上昇が生じない。
【００９９】
しかも、熱エネルギーの有効利用が可能で、より省エネルギー効果が得られるとともに、小屋裏空間４４内の温度を上昇させ、これにより、居室空間２２、２４内の居住環境を快適化することが可能である。
【０１００】
なお、この実施例では、小屋裏開口部５６、軒下開口部５２のみを開閉可能にしたが、外側通気層４２の下端の開口部５０を開閉可能にすることもできる。また、これらの開口部以外にも、例えば、小屋裏空間４４内に、棟換気口などの複数の開口部を設けて、これらを開閉可能にすることによって、小屋裏空間４４内に空気の移動経路を自由に選択することができ、上記の冷却、暖房効率を向上することもできる。
【０１０１】
このように複数の開口部が開閉可能とすることによって、開口部の開閉箇所を選択することによって、上記したような空気の移動経路を自由に変更することができる。
すなわち、冬季においては、高い位置にある開口部を閉止することによって、暖気を維持することができ、夏季、夜間、季節中間期においては、開口部を全て開放することによって、外気を大量に外皮の通気空間内に流入させることができ、熱気溜まりを防止することができるなど、夏、冬などの季節選択モードを自由に選択することができる。
【０１０２】
なお、この場合、高さ位置の相違する開口部とは、
・  地上付近と小屋裏空間４４との間、
・  小屋裏空間４４内での高さの異なる間、
・  軒先と棟との間、
の場合など開口部の高さ位置が相違する場合を全て含むものである。
【０１０３】
さらに、シックハウス法によって、居室空間内の換気回数が、０．５回／時以上と決まっているが、これらの開口部の開放を制御することによって、小屋裏空間内の空気の換気は、換気装置の能力に依存することなく、自由に流通量が変えられることになり、上記の夏季、冬季における作用効果を達成することができる。
【０１０４】
さらに、この実施例の建築物１０では、夏季において太陽熱や外気に外側通気層４２の空気が熱せられて上昇する。しかし、断熱材３６によって内側通気層と外側通気層４２とは隔絶されているので、高温空気が内側通気層内に侵入することがなく、また断熱材によって熱伝達も抑制される。
【０１０５】
このため、外側通気層で熱せられた高温空気は内側通気層にほとんど影響を及ぼすことなく、排気部 から外部へ排出される。
従って、床下空間内の比較的冷たい空気を居室空間周囲に循環させ、室内の冷房効率を高めることができるとともに、居室空間の冷房費が節約できる。
【０１０６】
また、冬季においては、居室空間は、外側通気層、断熱材および内側通気層などにより、２重、３重に囲繞され、断熱性が十分に保持され十分な保温性を維持できる。
図５は、本発明の通気外皮を有する屋根構造を適用した建築物の別の実施例の概略断面図である。
【０１０７】
この実施例の建築物１０は、図１に示した建築物１０と基本的には同様な構成であり、同一の構成部材には同一の参照番号を付して、その詳細な説明を省略する。
この実施例の建築物１０では、図５に示したように、屋根部分３２の通気外皮の通気空間を構成するのが、陸屋根６８に形成された通気空間７０としている。
【０１０８】
また、小屋裏開口部５６の代わりに、陸屋根６８の側端部に形成されたパラペット７２に、開放可能な開閉扉（図示せず）を設けた開口部７６が設けられている。
このように開口部７６がパラペット７２に形成されているので、このパラペット７２に形成された開口部７６を介して、通気空間内の空気を排出することができる。
【０１０９】
このように構成されるこの実施例の建築物１０においても、図１の実施例と同様に換気を制御することができる。
このような陸屋根では、従来では、通気空間７０内の空気は、移動しづらい状態であるが、本発明によれば、換気装置６４を介して、強制的に居室空間２２、２４内の室内排気を、この通気空間７０内に供給するので、この通気空間７０内に、湿気、熱気が溜まるのを防止することができ、陸屋根の直下の居室空間内の環境は、陸屋根面からの外気や日射の影響を小さくすることができるので、快適化し易くなる。
【０１１０】
しかも、この場合には、陸屋根６８の通気空間７０を従来より、狭くしても、このような通気が得られることになるので、陸屋根構造をコンパクトにすることができる。
図６は、本発明の通気外皮を有する屋根構造を適用した建築物の別の実施例の概略断面図である。
【０１１１】
この実施例の建築物１０は、図５に示した建築物１０と基本的には同様な構成であり、同一の構成部材には同一の参照番号を付して、その詳細な説明を省略する。
この実施例の建築物１０では、図６に示したように、屋根部分３２の通気外皮の通気空間を構成するのが、陸屋根６８に形成された通気空間７０としている。
【０１１２】
また、小屋裏開口部５６の代わりに、陸屋根６８の中央部に形成された棟部７４に、開放可能な開閉扉（図示せず）を設けた開口部７８が設けられている。
このように開口部７８が、陸屋根６８の中央部に形成された棟部７４に形成されているので、棟部７４に形成された開口部７８を介して、通気空間７０内の空気を排出することができる。
【０１１３】
このように構成されるこの実施例の建築物１０においても、図１の実施例と同様に換気を制御することができる。
また、図６の実施例では、外気とは温度の異なる居室空間２２、２４の排気を、狭い空間である棟部７４内に放出することによって、陸屋根６８内の局部の冷却や加温をやわらげることができる。
【０１１４】
図７は、本発明の通気外皮を有する屋根構造を適用した建築物の別の実施例の概略断面図である。
この実施例の建築物１０は、図１に示した建築物１０と基本的には同様な構成であり、同一の構成部材には同一の参照番号を付して、その詳細な説明を省略する。
【０１１５】
この実施例の建築物１０は、換気装置６４が、居室空間２２、２４の室内排気と外気とを熱交換し、熱交換された外気を居室空間に給気するように構成されており、いわゆる給排気を動力でおこなう「１種換気」において、熱交換を同時に行うことができるように構成されている。
【０１１６】
すなわち、換気装置６４は、１階の居室空間２２、２階の居室空間２４にはそれぞれ、給気口８０が設けられているとともに、給気口８０から、給気ダクト８２を介して、熱交換型の換気装置６４に接続されている。また、この換気装置６４は、排気ダクト８４を介して、小屋裏空間４４に、居室空間２２、２４の居室空気を強制的に給気することができるようになっている。
【０１１７】
そして、この換気装置６４には、外部から外気と取り入れる外気ダクト９０が接続されている。
このように構成することによって、居室空間２２、２４から排気ダクト５８を介して、換気装置６４に供給された冷気、暖気は、外気ダクト９０を介して取り入れられた外気と熱交換されて、居室空間２２、２４に取り入れられるようになっている。これにより、熱エネルギーの有効利用が可能になり、地球温暖化防止、省エネルギー化に寄与することができる。
【０１１８】
このように構成されるこの実施例の建築物１０においても、上記した図１の実施例と同様に換気を制御することができる。
図８は、本発明の通気外皮を有する屋根構造を適用した建築物の別の実施例の概略断面図である。
【０１１９】
この実施例の建築物１０は、図１に示した建築物１０と基本的には同様な構成であり、同一の構成部材には同一の参照番号を付して、その詳細な説明を省略する。
この実施例の建築物１０は、換気装置６４が、居室空間２２、２４の室内排気を、排気ダクト６６を介して、最上階の居室空間２４の上部の内側通気層３４に供給されるように
なっている。
【０１２０】
これにより、内側通気層３４を介して、小屋裏空間４４内に居室空間２２、２４の室内排気が供給されるようになっている。
この場合、図８の一点鎖線で示したように、別の換気装置８６を小屋裏空間４４内に設けて、この内側通気層３４に排気された居室空間２２、２４の室内排気を、排気ダクト８８を介して、強制的に小屋裏空間４４内に供給することも可能である。
【０１２１】
図９は、本発明の通気外皮を有する屋根構造を適用した建築物の別の実施例の概略断面図である。
この実施例の建築物１０は、図１に示した建築物１０と基本的には同様な構成であり、同一の構成部材には同一の参照番号を付して、その詳細な説明を省略する。
【０１２２】
この実施例では、屋根部分３２までが包括的に断熱材３６で囲繞されている。すなわち、屋根部分３２の屋根材４０の内側が、断熱材３６で囲繞されている。
このように屋根部分３２までが包括的に断熱材３６で囲繞されていることによって、居室空間より、小屋裏空間４４内に導入された暖気、冷気の温度を、小屋裏空間４４内において維持することができるとともに、外部の温度環境が小屋裏空間４４内に伝熱されることがないので、居室空間内の温度を快適化することができる。
【０１２３】
以上、本発明の好ましい実施の態様を説明してきたが、本発明はこれに限定されることはなく、例えば、上記実施例では、２階住宅に適用するように用いたが、平屋建て、または、３階以上の住宅にも用いることも可能である。
【０１２４】
また、小屋裏空間、陸屋根以外にも、例えば、居室空間と屋外の間に設けられる小屋、下屋、サンルームや外壁、地下にも適用可能であるなど本発明の目的を逸脱しない範囲で種々の変更が可能である。
【図面の簡単な説明】
【０１２５】
【図１】図１は、本発明の通気外皮を有する屋根構造を適用した建築物の概略断面図である。
【図２】図２は、図１の建築物の夏季の酷暑時の換気制御方法を説明する概略断面図である。
【図３】図３は、図１の建築物の夏季の換気制御方法を説明する概略断面図である。
【図４】図４は、図１の建築物の冬季の換気制御方法を説明する概略断面図である。
【図５】図５は、本発明の通気外皮を有する屋根構造を適用した建築物の別の実施例の概略断面図である。
【図６】図６は、本発明の通気外皮を有する屋根構造を適用した建築物の別の実施例の概略断面図である。
【図７】図７は、本発明の通気外皮を有する屋根構造を適用した建築物の別の実施例の概略断面図である。
【図８】図８は、本発明の通気外皮を有する屋根構造を適用した建築物の別の実施例の概略断面図である。
【図９】図９は、本発明の通気外皮を有する屋根構造を適用した建築物の別の実施例の概略断面図である。
【図１０】図１０は、従来の建築物の概略断面図である。
【図１１】図１１は、従来の建築物の概略断面図である。
【図１２】図１２は、従来の建築物の概略断面図である。
【図１３】図１３は、従来の建築物の概略断面図である。
【符号の説明】
【０１２６】
１０   建築物
１１   天井裏空間
１２   ベタ基礎
１４   外周布基礎
１６   基礎
１８   床下空間
２０   根太（大引、土台）
２２，２４    居室空間
２６   梁
３０   梁
３２   屋根部分
３４   内側通気層
３６   断熱材
３８   外壁材
４０   屋根材
４２   外側通気層
４４   小屋裏空間
４６、４８    連通路
５０   開口部
５２   軒下開口部
５４   開口扉
５６   小屋裏開口部
５８   排気ダクト
６０、６２    排気口
６４   換気装置
６６   排気ダクト
６８   陸屋根
７０   通気空間
７２   パラペット
７４   棟部
７６   開口部
７８   開口部
８０   給気口
８２   給気ダクト
８４   排気ダクト
８６   換気装置
８８   排気ダクト
９０   外気ダクト
１００ 建築物
１０２ 居室空間
１０４ 換気装置
２００ 建築物
２０２ 小屋裏空間
２０４ 換気装置
３００ 屋根構造
３０２ 屋根
３０４ 雪
３０６ 居室空間
３０８ 小屋裏空間
３１０ 小屋裏排気口
４００ 住宅
４０２ 小屋裏空間
４０４ 居室空間
４０６ 給気手段
４０８ 居室空間
４１０ 排気手段
４１２ 変換機構
４１４ 非居室空間
【図１】
2007092323.tif 000003
【図２】
2007092323.tif 000004
【図３】
2007092323.tif 000005
【図４】
2007092323.tif 000006
【図５】
2007092323.tif 000007
【図６】
2007092323.tif 000008
【図７】
2007092323.tif 000009
【図８】
2007092323.tif 000010
【図９】
2007092323.tif 000011
【図１０】
2007092323.tif 000012
【図１１】
2007092323.tif 000013
【図１２】
2007092323.tif 000014
【図１３】
2007092323.tif 000015